(57)【要約】      （修正有）【課題】高層ビルにおける壁面への側撃雷対策として壁面部に導体を設置する避雷設備の提供。【解決手段】ＰＣ板の側面を利用し、一定の肉厚を持つ金属板（垂直導体）をＰＣ板同士の間に取り付けておき、一部を露出させ壁面の受雷部として機能させる。この金属板同士は上下において容易に接続できる構造としておけば、引下導線として機能し、建築構造体（鉄筋、鉄骨）との接続も容易である。【選択図】図１
0003111387.tif 000002
【実用新案登録請求の範囲】
【請求項１】
所定の厚みを持ち、平板もしくはある角度に折り曲げた金属板（垂直導体）をＰＣ板の側面に取付け、一部を外部に露出させることにより、高層ビルの壁面に対する側撃雷に対応する垂直受雷部として機能させる。
【請求項２】
金属板の取付けはＰＣ板の側面に取付けボルト用のアンカー部材をＰＣ板製造段階において一定間隔で埋込んでおく。
【請求項３】
建物の内部側において垂直導体の上下の端末部分で同一素材の金属板を用いて垂直導体同士の接続が可能とする。
【請求項４】
建物の内部側において垂直導体の端末から建物構造体（鉄筋、鉄骨）もしくは避雷針設備の引下導線との接続が可能とする。
【請求項５】
この金属板を水平方向に配置し、相互に接続すれば引下導線同士の接続となる。
【考案の詳細な説明】
【技術分野】
【０００１】本考案は高層ビル壁面への側撃雷対策として壁面部に設置する導体を容易に取付けるためのものである。
【背景技術】
【０００２】２００３年７月に避雷針設備のＪＩＳ規格  ＪＩＳＡ４２０１が改定され、６０ｍ以上の高層建築物には壁面への落雷対策として壁面に取付ける避雷針設備が必要となった。
しかしながら従来の避雷針設備は屋上平面に取り付ける仕様のものであり、垂直壁面への適用は困難であった。
【考案の開示】
【考案が解決しようとする課題】従来の避雷針機材を垂直な壁面に施工することは美観、施工性、長期的な安全性の面からはなはだ困難である。【０００３】従来の避雷針設備はある長さをもった鉄管もしくは線、帯の形状のものである。
ある長さをもった鉄管を垂直壁面へ施工することはほぼ不可能である。
線、帯の形状の導体の取付けは不可能ではないが、高層建築物においては美観を損ね、施工面では支持金物の壁面へのアンカーボルト施工となり、外壁が仕上がった段階では足場もなく、はなはだ困難である。
また露出したボルト部分の腐食、緩み、耐水性等も長期的には大きな問題となる。【０００４】屋上面での避雷針設備は多くが屋上面において建物内部の建築構造体（鉄筋、鉄骨）に接続し、引下導線として建築構造体を利用している。
壁面において受雷部を設けた時にこの建物内部構造体との接続をしなければならないが、この接続作業が大変困難となる。
またＰＣ板内部の鉄筋を利用する方法も考えられるが、工程が煩雑となり、施工費用も高額となることが予想される。【０００５】従来の線状および帯状の水平導体は取付面からの突起が小さいため、取付け面との電界がほぼ等しいため、コロナ電流の発生が小さく、落雷点とはなりにくい欠点がある。【０００６】鉄筋をカップリングで接続しているＰＣ柱施工では鉄筋を引下導線路として利用できない。
このためこの施工では建物内部に専用の銅線による引下導線路を施工している。
この施工は避雷針設備としても建築面からも多くの問題がある。
【課題を解決するための手段】
【０００７】ＰＣ板の側面を利用し、一定の肉厚を持つ金属板（垂直導体）をＰＣ板同士の間に取り付けておき、一部を露出させれば壁面の受雷部として機能する。
この金属板同士は上下において容易に接続できる構造としておけば、引下導線として機能し、建築構造体（鉄筋、鉄骨）との接続も容易である。
【考案の効果】
【０００８】本考案は壁面の受雷部及び引下導線として経済的かつ安全な工法により、容易に達成するものである。
またこの導体を水平に配置し、導体同士を水平方向で接続すれば引下導線同士の接続が可能となる。
【考案を実施するための最良の形態】
【実施例】
【０００９】現在の高層建築物の壁面はほとんど工場生産されたＰＣ板の取付けによって行われている。
このＰＣ板の厚み部分にＭ１０のアンカーボルトの受け部分を約５０ｃｍ間隔で埋め込んでおき、ＰＣ板の製作工場もしくは荷揚げ時において図１の帯状の垂直導体をＭ１０ボルトによって固定する。
垂直導体の壁面からの突き出しは５ｃｍ程度とし、生地に壁面と同等な塗装を施せば美観も損ねることがない。
受雷効果を高めるためにＰＣ板より露出する導体は両側のＰＣ板から同じ角度となるよう曲げ加工を行う。
垂直導体の材料の素材と肉厚はＪＩＳＡ４２０１に適合する以下のものとする。
鉄：４ｍｍ以上、銅：５ｍｍ以上、アルミ：７ｍｍ以上【００１０】この垂直導体の取り付けはＰＣ板工場、もしくは取り付け直前の現場で行うものとする。
よって導体の取付け作業は総て地上で行えるため安全である。
また耐久性としては取付け部分がシール施工された建物内部となるため、風による緩みや防水の心配が全くない。【００１１】図１のように垂直導体の上下の取付け穴を利用して内側への接続板−１を取付ける。
接続板−１は垂直導体と同一の素材であり、幅３０ｍｍ、長さ２００ｍｍ程度とする。
この接続板−１同士を同一素材で作成する接続板−２でボルトナット接続することにより、垂直導体同士の接続が完成する。【００１２】同様に接続板−１の取付け穴より建築構造体（鉄筋、鉄骨）に対する接続線が接続可能であり、外部導体と建築構造体の接続が容易に施工可能となる。【００１３】一般的に高層建築物の強電界となる部分は建物のコーナー部分である。
これまでの高層建築物の壁面への落雷はほとんどコーナー部分で発生している。
このコーナー部分のみにこの垂直導体を施工すれば高層建築物の壁面への落雷はほぼ回避できると考える。【００１４】ＰＣ柱施工においてはこの建物内部において垂直導体同士を接続していき、接地と接続すれば引下導線路としての利用が可能である。
【図面の簡単な説明】
【００１５】
【図１】ＰＣ板側面に取付けた金属板（垂直導体）の取付け状況と導体同士の接続、建築構造体（鉄筋、鉄骨）との接続状況を示す図面である。
【図２】金属板（垂直導体）の取付け状況を断面方向からみた図面である。
【符号の説明】
【００１６】１  垂直導体
２  ＰＣ板
３  接続板−１
４  接続線
５  建築構造体
６  接続板−２
７  Ｍ１０ボルトナット
８  Ｍ１０アンカーボルト
【図１】
0003111387.tif 000003
【図２】
0003111387.tif 000004
【手続補正書】
【提出日】平成17年2月28日(2005.2.28)
【手続補正１】
【補正対象書類名】実用新案登録請求の範囲
【補正対象項目名】全文
【補正方法】変更
【補正の内容】
【実用新案登録請求の範囲】
【請求項１】
所定の厚みを持ち、平板もしくはある角度に折り曲げた金属板と金属板と同一の素材からなる第１の接続板とを有し、前記金属板は高層ビル壁面の外壁材であるＰＣ板の側面部に外壁より一部突出して取付け、前記金属板と鉄筋ないし鉄骨などの建物構造体とをＰＣ板の側面部を経由して電気的接続するために前記第１の接続板により前記金属板と直接接続することを特徴とする避雷設備。
【請求項２】
請求項１に記載の避雷設備において、複数の金属板を用い、これら金属板同士は第２の接続板を介して外壁面ではなく、建物の内部側で接続することを特徴とする避雷設備。